(57)【要約】【課題】  携帯電話機によってワンセグ放送を視聴する場合、画面が小さく、目の悪い人や高齢者にとっては映像や文字情報等が見づらかった。【解決手段】  本件出願のワンセグ映像表示方法は、ワンセグ信号受信可能な携帯端末機からワンセグ信号を取り出して、その信号中の映像信号を表示画面に表示する方法である。映像信号の解像度を補正して表示画面に表示したり、映像信号を二以上に区分された表示画面に一つの映像にして表示したり、映像信号をアナログテレビ用の信号に変換して、その映像をアナログテレビに表示したり、映像信号をパソコン用の信号に変換して、その映像をパソコン画面に表示したりすることもできる。また、ワンセグ信号を充電器で充電しながら映像信号を表示することもできる。映像信号と共に音声信号を文字化したテロップをも表示画面に表示することもできる。本件出願のワンセグ映像表示装置は、前記方法の実施に用いられる装置である。【選択図】図１
2009111559.tif 000002
【特許請求の範囲】
【請求項１】
ワンセグ信号受信可能な携帯端末機から、当該携帯端末機で受信したワンセグ信号を取り出して、そのワンセグ信号中の映像信号を携帯端末機の画面よりも大きな表示画面に表示することを特徴とするワンセグ映像表示方法。
【請求項２】
請求項１記載のワンセグ映像表示方法において、映像信号の解像度を補正して表示画面に表示することを特徴とするワンセグ映像表示方法。
【請求項３】
請求項１又は請求項２記載のワンセグ映像表示方法において、映像信号が二以上に区分された表示画面に一つの映像にして表示することを特徴とするワンセグ映像表示方法。
【請求項４】
請求項１乃至請求項３のいずれかに記載のワンセグ映像表示方法において、映像信号をアナログテレビ用の信号に変換して、その映像をアナログテレビに表示することを特徴とするワンセグ映像表示方法。
【請求項５】
請求項１乃至請求項３のいずれかに記載のワンセグ映像表示方法において、携帯端末機から取り出した映像信号をパソコン用の信号に変換して、その映像をパソコン画面に表示することを特徴とするワンセグ映像表示方法。
【請求項６】
請求項１乃至請求項５のいずれかに記載のワンセグ映像表示方法において、ワンセグ信号を充電器で充電しながら携帯端末機から又は充電器から取り出して、映像信号を表示画面に表示することを特徴とするワンセグ映像表示方法。
【請求項７】
請求項１乃至請求項６のいずれかに記載のワンセグ映像表示方法において、映像信号と共にワンセグ信号中の音声信号を文字化したテロップをも表示画面に表示することを特徴とするワンセグ映像表示方法。
【請求項８】
ワンセグ信号受信可能な携帯端末機と、前記携帯端末機からワンセグ信号を取り出して表示装置に伝送可能な伝送路と、伝送路で伝送されるワンセグ信号中の映像信号を表示可能な表示部を備えたことを特徴とするワンセグ映像表示装置。
【請求項９】
請求項８記載のワンセグ映像表示装置において、表示部は、二以上の表示画面に区画され、それら表示画面が収納、展開可能であり、展開時に二以上の表示画面に一つの映像を表示できるものであることを特徴とするワンセグ映像表示装置。
【請求項１０】
請求項８又は請求項９記載のワンセグ映像表示装置において、伝送路で伝送されるワンセグ信号を表示画面への表示に適するように処理する処理部を備えたことを特徴とするワンセグ映像表示装置。
【請求項１１】
請求項１０記載のワンセグ映像表示装置において、処理部がワンセグ信号中の映像信号の解像度を補正可能な解像度補正部と、二以上に区画された表示画面に一つの映像にして表示可能にする画像合成処理部と、ワンセグ信号をアナログテレビに表示可能なアナログ信号に変換するアナログ変換部と、ワンセグ信号をパソコン画面に表示可能なパソコン用信号に変換処理するパソコン信号変換部と、表示画面にテロップを表示可能とするテロップ処理部の一又は二以上を備えたことを特徴とするワンセグ映像表示装置。
【請求項１２】
請求項８乃至請求項１１のいずれかに記載のワンセグ映像表示装置において、携帯端末機用充電器を備え、その充電器がワンセグ信号を取り出し可能な携帯端末機の充電をしながら映像信号を表示可能であることを特徴とするワンセグ映像表示装置。
【発明の詳細な説明】
【技術分野】
【０００１】
本発明は、ワンセグ対応の携帯電話機、ＰＤＡ（Personal Digital Assistants）等の各種携帯端末機器で受信されたワンセグ信号中の映像を他の表示画面に表示する方法と、そのための映像表示装置に関する。
【背景技術】
【０００２】
携帯電話機、ＰＤＡ等の各種移動体向けの地上デジタル放送（ワンセグ放送）が２００６年４月１日より開始された。このワンセグ放送を視聴するためにはワンセグチューナーを搭載した携帯電話機、ＰＤＡ、カーナビ、ポータブルＤＶＤプレイヤー等、ワンセグ信号を受信可能なワンセグ対応の各種移動式又は携帯式の端末機（合せて「携帯端末機」という）が必要である。最近、普及が著しいワンセグ対応の携帯電話機はワンセグ放送視聴機器として広く利用されている。
【発明の開示】
【発明が解決しようとする課題】
【０００３】
携帯電話機によるワンセグ放送視聴には次のような課題がある。
（１）携帯電話機のディスプレイは大きいものでも３インチ程度しかないため見にくい。特に目の悪い人や高齢者にとっては映像や文字情報等は小さく見づらい。
（２）現在、地上デジタル放送対応テレビは高価であって低所得者層を中心に購入を見合わせる人が多く、あまり普及していない。一方、２０１１年にアナログ放送が終了してアナログテレビでの視聴が不可能になると、前記地上デジタル放送対応テレビを購入できない層の人々はテレビ放送そのものを視聴できなくなってしまう。現在、テレビが広く地震、津波等の緊急情報取得手段として活用されていることから、多くの人々からライフラインを奪ってしまう可能性もある。
【課題を解決するための手段】
【０００４】
本発明は、ワンセグ対応の携帯端末機を利用することにより、ワンセグチューナーが装備されていない表示画面（ディスプレイ）や、既存のパソコン、アナログテレビ等によっても、ワンセグ放送を手軽に視聴できるワンセグ映像表示方法及びワンセグ映像表示装置を提供するものである。
【０００５】
本件出願のワンセグ映像表示方法は、ワンセグ信号受信可能な携帯端末機から、当該携帯端末機で受信したワンセグ信号を取り出して、そのワンセグ信号中の映像信号を携帯端末機の画面よりも大きな表示画面に表示する方法である。前記ワンセグ映像表示方法において、映像信号の解像度を補正して表示画面に表示したり、映像信号を二以上に区分された表示画面に一つの映像にして表示したり、映像信号をアナログテレビ用の信号に変換して、その映像をアナログテレビに表示したり、携帯端末機から取り出した映像信号をパソコン用の信号に変換して、その映像をパソコン画面に表示したりすることもできる。また、ワンセグ信号を充電器で充電しながら携帯端末機から又は充電器から取り出して、映像信号を表示画面に表示することもできる。映像信号と共にワンセグ信号中の音声信号を文字化したテロップをも表示画面に表示することもできる。
【０００６】
本件出願のワンセグ映像表示装置は、ワンセグ信号受信可能な携帯端末機と、前記携帯端末機からワンセグ信号を取り出して表示装置に伝送可能な伝送路と、伝送路で伝送されるワンセグ信号中の映像信号を表示可能な表示部を備えたものである。前記ワンセグ映像表示装置において、表示部は、二以上の表示画面に区画され、それら表示画面が収納、展開可能であり、展開時に二以上の表示画面に一つの映像を表示できるものとした。また、伝送路で伝送されるワンセグ信号を表示画面への表示に適するように処理する処理部を備えた。処理部がワンセグ信号中の映像信号の解像度を補正可能な解像度補正部と、二以上に区画された表示画面に一つの映像にして表示可能にする画像合成処理部と、ワンセグ信号をアナログテレビに表示可能なアナログ信号に変換するアナログ変換部と、ワンセグ信号をパソコン画面に表示可能なパソコン用信号に変換処理するパソコン信号変換部と、表示画面にテロップを表示可能とするテロップ処理部の一又は二以上を備えた。携帯端末機用充電器を備え、その充電器がワンセグ信号を取り出し可能な携帯端末機の充電をしながら映像信号を表示可能とした。
【発明の効果】
【０００７】
本件出願のワンセグ映像表示方法は次のような効果がある。
（１）ワンセグ対応の携帯端末機から映像信号を取り出して他の表示装置（地上デジタル放送用チューナーの装備されていない表示画面：ディスプレイ）に表示するので、地上デジタル放送用テレビ受信機が無くてもワンセグ放送を視聴できる。
（２）携帯端末機の画面よりもサイズの大きなディスプレイを携行すれば、外出先でもワンセグ放送を大きくして視聴することができる。
（３）映像信号の解像度を補正して表示画面に表示するので、ワンセグ映像を携帯端末機の表示画面よりも大きなサイズの表示画面で視る場合でも、画質の良好な映像を視ることができる。
（４）二以上に区分された表示装置に一つの映像を表示できるようにしたので、折りたたみ式やスライド式等のディスプレイを携行し、それらディスプレイを展開して画面サイズを大きくしてワンセグ放送を視聴することもできる。
（５）携帯端末機から取り出したワンセグ信号中の映像信号をアナログテレビに表示できるようにしたので、既存のアナログテレビをアナログ放送終了後も有効活用でき、アナログテレビの無駄や不法投棄等の問題を抑制することもでき、地上デジタル放送受信機の無い人たちのライフラインも確保される。
（６）携帯端末機から取り出したワンセグ信号中の映像信号をパソコン画面に表示することもできるので、パソコンがワンセグチューナーを備えていない場合であってもワンセグ放送を視聴できる。
（７）携帯端末機に充電しながらワンセグ信号中の映像信号を表示装置に表示できるようにしたので、ワンセグ放送視聴中にバッテリー切れする心配が無く安心して視聴できる。
（８）テロップを表示すれば、イヤホンやスピーカーが無くてもテロップで映像のストーリーを理解できるため近くの人に迷惑がかからない。
【０００８】
本件出願のワンセグ映像表示装置は次のような効果がある。
（１）ワンセグ信号受信可能な携帯端末機と、前記携帯端末機からワンセグ信号を取り出して表示装置に伝送可能な伝送路と、伝送路で伝送されるワンセグ信号中の映像信号を表示可能な画像表示画面で構成されるので、携帯端末機と共に伝送路と画像表示画面を携行すれば、出先で、必要に応じてワンセグ映像を見ることができる。
（２）表示画面が二以上に区画され、それら区画画面が収納、展開可能であり、展開時に二以上の表示画面に一つの映像を表示できるものであるため、小型化して携行でき、映像を見るときは広げて見ることができるため便利である。
（３）伝送路で伝送されるワンセグ信号を表示画面への表示に適するように処理する処理部を備え、処理部がワンセグ信号中の映像信号の解像度を補正可能な解像度補正部と、二以上に区画された表示画面に一つの映像にして表示可能にする画像合成処理部と、ワンセグ信号をアナログテレビに表示可能なアナログ信号に変換するアナログ変換部と、ワンセグ信号をパソコン画面に表示可能なパソコン用信号に変換処理するパソコン信号変換部と、表示画面にテロップを表示可能とするテロップ処理部の一又は二以上を備えているので、表示装置に鮮明で大きな画像を表示でき、アナログテレビやパソコンで見ることもでき、ワンセグ放送視聴のために地上デジタル用テレビや地上デジタル用チューナーを新たに買ったり、地上デジタル放送対応のパソコンを購入したりする必要がなく、アナログ放送終了に伴って発生すると思われるアナログテレビの不法投棄等の問題も抑制できる。また、音声が無くてもテロップで映像のストーリーを理解できるため、スピーカーやイヤホンが不要である。
（４）携帯端末用充電器で携帯端末機に充電しながら映像信号を表示可能であるため、ワンセグ映像表示中にバッテリーが切れて視聴不可能になる虞がなくなり、また、ワンセグ放送の視聴後に改めて充電しなくても携帯端末をすぐ使用することができる。
【発明を実施するための最良の形態】
【０００９】
（ワンセグ映像表示方法の実施形態１）
本発明のワンセグ映像表示方法の実施形態の一例を説明する。この実施形態のワンセグ映像表示方法は、ワンセグ対応の携帯端末機２から信号を取り出して大型の表示装置（ディスプレイ）８でワンセグ放送を視聴する方法である（図１参照。）。この方法の説明に先立って、この方法の実施に用いるワンセグ映像表示装置を図１に基づいて説明する。
【００１０】
（ワンセグ映像表示装置の実施形態１）
図１は、本発明の第１の実施形態のワンセグ映像表示装置の構成を示すブロック図である。この映像表示装置１は、ワンセグ対応の携帯端末機２から信号を取り出して大型の表示装置（ディスプレイ）８でワンセグ映像を表示可能とする装置であって、図１に示すように、ワンセグ対応の携帯端末機２と、コネクト部３と、映像信号処理部４と、文字情報信号処理部５と、音声信号処理部６と、解像度補正部７と、ディスプレイ８と、音声出力装置９と、充電回路１０と、ＡＣアダプタ１１とを備えてなる。
【００１１】
携帯端末機２は、ワンセグチューナーを内蔵し、ワンセグ放送を受信可能な移動端末機である。携帯端末機２としては、例えば図１に示すような携帯電話機のほかに、ＰＤＡ、ポータブルＤＶＤプレイヤー等、任意の移動端末機を使用することができる。
【００１２】
コネクト部３は、前記携帯端末機２と、映像信号処理部４、文字情報信号処理部５、音声信号処理部６等の各処理部、及び充電回路１０とを接続するための端子であって、既存の携帯端末機２に設けられている端子接続部（図示しない）や新たに設けた接続端子に差込み可能なものである。このコネクト部３は携帯端末機２を保持できる卓上ホルダ型のクレードルにすることもできる。
【００１３】
映像信号処理部４、文字情報信号処理部５、音声信号処理部６は、前記コネクト部３を介して携帯端末機２と接続されており、ワンセグ放送受信中の携帯端末機２からワンセグ放送の映像信号、文字情報信号、音声信号を夫々取り出すことができる部分である。また、映像信号処理部４及び文字情報信号処理部５においては、取り出した映像信号を、ディスプレイ８で表示可能な形式に変換する処理も行われる。
【００１４】
解像度補正部７は、前記映像信号処理部４及び文字情報信号処理部５と接続された、映像信号処理部４及び文字情報信号処理部５で取り出された映像信号及び文字情報信号の解像度を補正する部分である。
【００１５】
ディスプレイ８は、前記解像度補正部７と接続された液晶ディスプレイや有機ＥＬディスプレイなどの各種表示装置であって、解像度補正部７で解像度を補正された映像信号及び文字情報信号を映像及び文字情報にして表示するものである。本実施形態では、ディスプレイ８には１０インチ以上の大型のものを用いているが、ディスプレイ８のサイズは任意とすることができる。
【００１６】
音声出力装置９は、前記音声信号処理部６と接続され、音声信号処理部６で取り出された音声信号を外部へ出力する装置である。音声出力装置９としては、例えばスピーカーやイヤホン等を使用することができる。
【００１７】
充電回路１０は、前記コネクト部３を介して携帯端末機２と接続されており、ワンセグ放送受信中の携帯端末機２の充電を可能とする回路である。図１に示すように、充電回路１０はＡＣアダプタ１１を備えており、ＡＣアダプタ１１を電源に接続することによって、携帯端末機２に電力を供給できるようにしてある。
【００１８】
図１の解像度補正部７を省略して、取り出した映像信号、文字情報信号の解像度を補正せずにそのままディスプレイ８に表示させることもできる。特に、ディスプレイ８のサイズが例えば３インチ〜１０インチ程度と小さい場合等には、映像信号、文字情報信号の解像度を補正せずにそのままディスプレイ８に表示させても十分視聴可能である。
【００１９】
充電回路１０及びＡＣアダプタ１１に代えてバッテリーを備えることもできる。この場合、携帯端末機２に充電はされないが、バッテリーの電力で携帯端末機２から信号を取り出してディスプレイ８と音声出力装置９でワンセグ放送を視聴することができる。
【００２０】
図１の映像表示装置では、ディスプレイ８と音声出力装置９は別個に設けられているが、音声出力装置９はディスプレイ８に内蔵させることもできる。その場合、本件装置の部品点数が少なく済む。
【００２１】
（使用例１）
図１に示す映像表示装置でワンセグ放送を視聴するには次の（１）〜（７）のようにする。
（１）ワンセグ対応の携帯端末機２を映像表示装置のコネクト部３に接続する。
（２）携帯端末機２を操作してワンセグ放送受信可能な状態にする。
（３）映像信号処理部４、文字情報信号処理部５、音声信号処理部６により、携帯端末機２から映像信号、文字情報信号、音声信号を取り出す。
（４）映像信号、文字情報信号は解像度補正部７において、ディスプレイ８で綺麗に表示できるよう解像度が補正された上でディスプレイ８に表示される。
（５）音声信号はスピーカー、イヤホン等の音声出力装置９から出力される。
（６）視聴者は、ディスプレイ８に表示される映像及び文字情報と、音声出力装置９から出力される音声によってワンセグ放送を視聴することができる。
（７）図１に示すように、携帯端末機２は充電回路１０及びＡＣアダプタ１１とも接続されており、ＡＣアダプタ１１を電源に接続しておくことで、携帯端末機２の充電をしながらディスプレイ８及び音声出力装置９でワンセグ放送を視聴できる。
【００２２】
（ワンセグ映像表示方法の実施形態２）
本発明のワンセグ映像表示方法の実施形態の他の一例を説明する。この実施形態のワンセグ映像表示方法は、ワンセグ対応の携帯端末から信号を取り出して、二つに区画された表示画面を収納（折り畳み）、展開可能な表示装置（ディスプレイ）でワンセグ映像を表示する方法である（図２参照。）。本実施形態では、二つに区分されたディスプレイの表示画面上に一つの映像が表示される。この方法の説明に先立って、この方法の実施に用いるワンセグ映像表示装置を図２に基づいて説明する。
【００２３】
（ワンセグ映像表示装置の実施形態２）
図２は、本発明の第２の実施形態のワンセグ映像表示装置の構成を示すブロック図である。この映像表示装置１は、ワンセグ対応の携帯端末機２から信号を取り出して、二つに折り畳み可能な表示装置（ディスプレイ）１２でワンセグ映像を表示可能とする装置であって、図２に示すように、ワンセグ対応の携帯端末機２と、コネクト部３と、映像信号処理部４と、文字情報信号処理部５と、音声信号処理部６と、画像合成処理部１３と、ディスプレイ１２と、音声出力装置９と、バッテリー１４とを備えてなる。
【００２４】
本実施形態の映像表示装置１は、その基本的構成は前記実施形態１のものと共通しており、図２の携帯端末機２、コネクト部３、映像信号処理部４、文字情報信号処理部５、音声信号処理部６、音声出力装置９については実施形態１のものと同じである。図２の映像表示装置１では、ディスプレイ１２の形態、画像合成処理部１３を備える点、バッテリー１４を備える点において前記実施形態１のものと異なる。
【００２５】
図２のディスプレイ１２は、二つに区画された表示画面１５を、折り畳み軸１６を中心に折り畳み、展開可能とされたものであり、展開時の二つの表示画面１５に一つの映像を表示できるようにしてある。このディスプレイ１２は、二つの表示画面１５の展開時に例えば３インチ〜２０インチとなるサイズとしてある。ディスプレイ１２は、二つの表示画面１５を折り畳むことで携帯性を向上させることができる。本例におけるディスプレイ１２は、二つの表示画面を収納、展開可能であれば、図２に示す折り畳み式のものには限られず、二つの表示画面を互いにスライドさせて収納、展開可能とするスライド式のものなど、任意の形態のものとすることができる。また、ディスプレイ１２が備える表示画面１５の数も図２に示す二つには限られず、三つ以上であってもよい。
【００２６】
画像合成処理部１３は、図２に示すように映像信号処理部４及び文字情報信号処理部５と接続されており、映像信号処理部４及び文字情報信号処理部５で取り出された映像信号及び文字情報信号を、前記ディスプレイ１２の二つの表示画面１５に一つの映像を表示できるように加工する部分である。本例の映像表示装置１では、この画像合成処理部１３を省略し、ディスプレイ１２の二つの表示画面１５の夫々に同じ映像を表示するようにすることもできる。
【００２７】
バッテリー１４は、図２に示すようにコネクト部３を介して携帯端末機２と接続されており、携帯端末機２に充電はされないが、バッテリー１４の電力で携帯端末機２から信号を取り出してディスプレイ１２と音声出力装置９でワンセグ放送を視聴することができるものである。本例の場合、バッテリー１４に代えて充電回路１０及びＡＣアダプタ１１（図１参照。）を備えることもできる。その場合はワンセグ放送受信中の携帯端末機２の充電が可能となる。
【００２８】
図２の映像表示装置では、ディスプレイ１２と音声出力装置９は別個に設けられているが、音声出力装置９はディスプレイ１２に内蔵させることもできる。その場合、本発明の映像表示装置の携帯性が更に向上する。
【００２９】
（使用例２）
図２に示す映像表示装置でワンセグ放送を視聴するには次の（１）〜（７）のようにする。
（１）ワンセグ対応の携帯端末機２を映像表示装置のコネクト部３に接続する。ディスプレイ１２の二つの表示画面１５を展開する。
（２）携帯端末機２を操作してワンセグ放送受信可能な状態にする。
（３）映像信号処理部４、文字情報信号処理部５、音声信号処理部６により、携帯端末機２から映像信号、文字情報信号、音声信号を取り出す。
（４）映像信号、文字情報信号は画像合成処理部１３において、ディスプレイ１２の二つの表示画面１５に一つの映像を表示できるように加工される。
（５）画像合成処理部１３において加工された映像信号、文字情報信号が、ディスプレイ１２の二つの表示画面１５上に一つの映像及び文字情報として表示される。
（６）音声信号はスピーカー、イヤホン等の音声出力装置９から出力される。
（７）視聴者は、ディスプレイ１２に表示される映像及び文字情報と、音声出力装置９から出力される音声によってワンセグ放送を視聴することができる。
【００３０】
（ワンセグ映像表示方法の実施形態３）
本発明のワンセグ映像表示方法の実施形態の他の一例を説明する。この実施形態のワンセグ映像表示方法は、ワンセグ対応の携帯端末機２から信号を取り出してアナログテレビ用の信号に変換し、アナログテレビ２０でワンセグ映像を表示する方法である（図３参照。）この方法の説明に先立って、この方法の実施に用いるワンセグ映像表示装置を図３に基づいて説明する。
【００３１】
（ワンセグ映像表示装置の実施形態３）
図３は、本発明の第３の実施形態のワンセグ映像表示装置の構成を示すブロック図である。この映像表示装置１は、ワンセグ対応の携帯端末から信号を取り出してアナログテレビ用の信号に変換し、アナログテレビ２０でワンセグ映像を表示可能とする装置であって、図３に示すように、ワンセグ対応の携帯端末機２と、コネクト部３と、映像信号処理部４と、文字情報信号処理部５と、音声信号処理部６と、解像度補正部７と、アナログ変換部２１と、アナログテレビ２０と、充電回路１０と、ＡＣアダプタ１１とを備えてなる。
【００３２】
本実施形態の映像表示装置１も、その基本的構成は前記各実施形態１のものと共通しており、図３の携帯端末機２、コネクト部３、映像信号処理部４、文字情報信号処理部５、音声信号処理部６、解像度補正部７、充電回路１０及びＡＣアダプタ１１は、前記実施形態１のものと同じである。図３の映像表示装置１は、アナログ変換部２１を備える点、アナログテレビ２０を備える点において前記各実施形態のものと異なる。
【００３３】
アナログ変換部２１は、図３に示すように解像度補正部７に接続されており、映像信号処理部４及び文字情報信号処理部５で取り出され、解像度補正部７で解像度を補正された映像信号及び文字情報信号をアナログテレビ２０で表示できるようにアナログテレビ用の信号に変換する部分である。
【００３４】
アナログテレビ２０は、現在全国に普及している各種アナログテレビである。図３に示すように、アナログテレビ２０は前記アナログ変換部２１に接続され、アナログ変換部２１でアナログテレビ用の信号に変換された映像信号及び文字情報信号を表示することができる。また、このアナログテレビ２０は音声信号処理部６にも接続されており、音声信号処理部６で取り出した音声信号を、アナログテレビ２０に内蔵されたスピーカー等の音声出力装置（図示しない）から出力することができる。そのため、図３に示すように、本例では音声出力装置が省略されている。もっとも、音声出力装置を別途備え、音声信号処理部６で取り出した音声信号をその音声出力装置から出力するようにすることもできる。
【００３５】
本例の映像表示装置でも、解像度補正部７を省略して、取り出した映像信号、文字情報信号の解像度を補正せずにアナログ変換部２１でアナログテレビ用の信号に変換してそのままアナログテレビ２０に表示させることもできる。特に、アナログテレビ２０のサイズが例えば１０インチ以下程度と小さい場合等には、映像信号、文字情報信号の解像度を補正せずに、アナログテレビ用の信号に変換するのみで表示させても十分視聴可能である。
【００３６】
充電回路１０及びＡＣアダプタ１１に代えてバッテリー（図２参照。）を備えることもできる。この場合、携帯端末機２に充電はされないが、バッテリーの電力で携帯端末機２から信号を取り出してアナログテレビ２０でワンセグ放送を視聴することができる。
【００３７】
（使用例３）
図３に示す映像表示装置でワンセグ放送を視聴するには次の（１）〜（８）のようにする。
（１）ワンセグ対応の携帯端末機２を映像表示装置のコネクト部３に接続する。
（２）携帯端末機２を操作してワンセグ放送受信可能な状態にする。
（３）映像信号処理部４、文字情報信号処理部５、音声信号処理部６により、携帯端末機２から映像信号、文字情報信号、音声信号を取り出す。
（４）映像信号及び文字情報信号は解像度補正部７において、アナログテレビ２０で綺麗に表示できるよう解像度が補正される。
（５）解像度が補正された映像信号及び文字情報信号はアナログ変換部２１でアナログテレビ用の信号に変換される。
（６）アナログテレビ用の信号に変換された映像信号及び文字情報信号はアナログテレビ２０から表示される。また、音声信号処理部６によって取り出された音声信号も、アナログテレビ２０に内蔵のスピーカー等の音声出力装置から出力される。
（７）視聴者は、アナログテレビ２０に表示される映像及び文字情報と、アナログテレビ２０から出力される音声によってワンセグ放送を視聴することができる。
（８）図３に示すように、携帯端末機２は充電回路１０及びＡＣアダプタ１１とも接続されており、ＡＣアダプタ１１を電源に接続しておくことで、携帯端末機２の充電をしながらアナログテレビ２０でワンセグ放送を視聴できる。
【００３８】
（ワンセグ映像表示方法の実施形態４）
本発明のワンセグ映像表示方法の実施形態の他の一例を説明する。この実施形態のワンセグ映像表示方法は、ワンセグ対応の携帯端末から信号を取り出してパソコン用の信号に変換してパソコンでワンセグ映像を表示する方法である（図４参照。）この方法の説明に先立って、この方法の実施に用いるワンセグ映像表示装置を図４に基づいて説明する。
【００３９】
（ワンセグ映像表示装置の実施形態４）
図４は、本発明の第４の実施形態のワンセグ映像表示装置の構成を示すブロック図である。この映像表示装置１は、ワンセグ対応の携帯端末機２から信号を取り出してパソコン２２でワンセグ映像を表示可能とする装置であって、図４に示すように、ワンセグ対応の携帯端末機２と、コネクト部３と、映像信号処理部４と、文字情報信号処理部５と、音声信号処理部６と、パソコン信号変換部２４と、パソコン２２とを備えてなる。
【００４０】
本実施形態の映像表示装置１も、図４の携帯端末機２、コネクト部３、映像信号処理部４、文字情報信号処理部５、音声信号処理部６は、前記各実施形態１のものと同じである。図４の映像表示装置１は、携帯端末機２から取り出した映像信号、文字情報信号、音声信号をパソコン信号変換部２４においてパソコン用の信号に変換してパソコン２２へ出力する点で前記各実施形態のものと異なる。
【００４１】
前記パソコン信号変換部２４は、図４に示すように映像信号処理部４、文字情報信号処理部５、音声信号処理部６と接続され、携帯端末機２から取り出した映像信号、文字情報信号、音声信号をパソコン用の信号に変換可能としている。
【００４２】
前記パソコン２２は、本体と画面とを備えるコンピュータであって、図４に示すようにパソコン信号変換部２４と接続されている。前記パソコン信号変換部２４とパソコン２２とは例えばＵＳＢケーブル２３によって接続されている。接続方式はＵＳＢケーブル接続には限られず任意の方式とすることができる。本例では、前記パソコン信号変換部２４においてパソコン用の信号に変換された映像信号、文字情報信号、音声信号を、パソコン２２内のオーディオソフト（例えばウィンドウズ社製「メディアプレイヤー（登録商標）」等）を用いて出力し、パソコン２２の画面と、本体に内蔵された音声出力装置によってワンセグ放送を視聴できるようにしてある。
【００４３】
本例では、図４に示すように、携帯端末機２は、ＵＳＢケーブル２３を通じてパソコン２２本体から給電されるようにしてある。従って、携帯端末機２の充電をしながらパソコン２２でワンセグ放送を視聴できる。本例では、携帯端末機２のコネクト部３には充電回路１０やバッテリー１４は接続されていない。
【００４４】
本例の映像表示装置では、映像信号処理部４、文字情報信号処理部５、音声信号処理部６、パソコン信号変換部２４は、図４に示すようにパソコン２２と別個に備える場合に限られず、予めパソコン２２本体に内蔵しておくこともできる。その場合、携帯端末機２とパソコン２２とは、コネクト部３及びＵＳＢケーブル２３だけを介して直接接続されることとなる。
【００４５】
本例では、前記各処理部４〜６とパソコン信号変換部２４の間に解像度補正部７（図１参照。）を備えて、映像信号、文字情報信号をパソコン２２の画面サイズに適した解像度に補正してパソコン２２に送り込むようにすることもできる。また、解像度補正部７を予めパソコン２２本体に内蔵しておくこともできる。
【００４６】
（使用例４）
図４に示す映像表示装置でワンセグ放送を視聴するには次の（１）〜（７）のようにする。
（１）ワンセグ対応の携帯端末機２を映像表示装置のコネクト部３に接続する。パソコン２２を起動させ、ＵＳＢケーブル２３を接続しておく。
（２）携帯端末機２を操作してワンセグ放送受信可能な状態にする。
（３）映像信号処理部４、文字情報信号処理部５、音声信号処理部６により、携帯端末機２から映像信号、文字情報信号、音声信号を取り出す。
（４）取り出された映像信号、文字情報信号、音声信号をパソコン信号変換部２４でパソコン用の信号に変換される。
（５）パソコン用の信号に変換された映像信号、文字情報信号、音声信号は、ＵＳＢケーブル２３を通してパソコン１に送り込まれ、パソコン内のオーディオソフトを用いて出力される。
（６）視聴者は、パソコン２２の画面に表示される映像及び文字情報と、パソコン２２本体に内蔵された音声出力装置から出力される音声によってワンセグ放送を視聴することができる。
（７）図４に示すように、携帯端末機２はＵＳＢケーブル２３を通じてパソコン２２本体から給電されており、携帯端末機２の充電をしながらパソコン２２でワンセグ放送を視聴できる。
【００４７】
（その他の実施形態）
本発明のワンセグ映像表示方法と映像表示装置においては、文字情報信号処理部５を省略して、携帯端末機２が受信するワンセグ放送の文字情報信号を取り出さずに、ディスプレイやアナログテレビやパソコン画面に文字情報を表示させないようにすることもできる。
【００４８】
また、音声信号処理部６を省略して、携帯端末機２が受信するワンセグ放送の音声信号を取り出さないようにして、音声出力装置から音声を出力させないようにすることもできる。その場合、テロップの作成や表示を行うためのテロップ処理部を設ける等して、ディスプレイやアナログテレビやパソコン画面に、映像に連動したテロップを表示させられるようにすることもできる。
【産業上の利用可能性】
【００４９】
本発明のワンセグ映像表示方法及び映像表示装置は、ワンセグ放送の視聴には限られず、アナログ放送や、地上デジタル放送等、移動端末機で受信可能な他の任意の放送を、別個の表示装置やアナログテレビやパソコン等で表示する視聴方法、映像表示装置にも応用することができる。
【図面の簡単な説明】
【００５０】
【図１】本発明の第１の実施形態のワンセグ映像表示装置の構成を示すブロック図。
【図２】本発明の第２の実施形態のワンセグ映像表示装置の構成を示すブロック図。
【図３】本発明の第３の実施形態のワンセグ映像表示装置の構成を示すブロック図。
【図４】本発明の第４の実施形態のワンセグ映像表示装置の構成を示すブロック図。
【符号の説明】
【００５１】
１  ワンセグ映像表示装置
２  携帯端末機
３  コネクト部
４  映像信号処理部
５  文字情報信号処理部
６  音声信号処理部
７  解像度補正部
８  ディスプレイ
９  音声出力装置
１０  充電回路
１１  ＡＣアダプタ
１２  ディスプレイ
１３  画像合成処理部
１４  バッテリー
１５  表示画面
１６  折り畳み軸
２０  アナログテレビ
２１  アナログ変換部
２２  パソコン
２３  ＵＳＢケーブル
２４  パソコン信号変換部
【図１】
2009111559.tif 000003
【図２】
2009111559.tif 000004
【図３】
2009111559.tif 000005
【図４】
2009111559.tif 000006